(57)【要約】【課題】乾燥運転中の回転ドラム内の衣類の乾燥率を段階的に検知する。【解決手段】第１の一対の電極８と第２の一対の電極９を、互いに回転ドラム２内の衣類と接触する単位時間当たりの回数が異なるように設け、演算手段１２は、乾燥運転の開始時に第１の抵抗検知手段１０および第２の抵抗検知手段１１からの信号を比較演算することにより、衣類の容量を大容量から小容量まで段階的に検知し、衣類の容量および運転開始時の衣類の乾燥率に応じて、複数の検知抵抗を切り換えることにより、乾燥運転中の衣類の乾燥率を湿り状態から乾き状態まで段階的に検知するようにしたものである。【選択図】図３
2012055398.tif 000002
【特許請求の範囲】
【請求項１】
本体内に回転自在に設けられた回転ドラムと、前記回転ドラムを駆動するモータと、前記本体の前方部に設けられた内周板と、前記回転ドラム内の衣類に接触するように前記内周板上に設けられた第１の一対の電極および第２の一対の電極と、前記第１の一対の電極間の抵抗値を検知し、複数の検知抵抗に接続された第１の抵抗検知手段と、前記第２の一対の電極間の抵抗値を検知し、複数の検知抵抗に接続された第２の抵抗検知手段と、前記第１の抵抗検知手段および前記第２の抵抗検知手段に接続された演算手段とを備え、前記第１の一対の電極および前記第２の一対の電極は、互いに回転ドラム内の衣類に接触する単位時間当たりの回数が異なるように設けられ、前記演算手段は、乾燥運転の開始時に前記第１の抵抗検知手段および前記第２の抵抗検知手段からの信号を比較演算することにより、衣類の容量を大容量から小容量まで段階的に検知し、衣類の容量および運転開始時の衣類の乾燥率に応じて、複数の検知抵抗を切り換えることにより、乾燥運転中の衣類の乾燥率を湿り状態から乾き状態まで段階的に検知するようにした衣類乾燥機。
【請求項２】
第１の一対の電極と第２の一対の電極は、互いに異なる大きさに形成した請求項１記載の衣類乾燥機。
【請求項３】
第１の一対の電極と第２の一対の電極は、いずれか一方の一対の電極に対して、他方の一対の電極の内周板の円周水平方向の長さを長くした請求項１または２記載の衣類乾燥機。
【請求項４】
第１の一対の電極と第２の一対の電極は、いずれか一方の一対の電極に対して、他方の一対の電極の内周板の円周垂直方向の長さを長くした請求項１〜３のいずれか１項に記載の衣類乾燥機。
【請求項５】
第１の一対の電極と第２の一対の電極は、互いに回転ドラムに対向する異なる位置に形成した請求項１〜４のいずれか１項に記載の衣類乾燥機。
【請求項６】
第１の一対の電極と第２の一対の電極は、一方の一対の電極を回転ドラムに対向する内周板の下方部に設け、他方の一対の電極を内周板の上方部に設けた請求項１〜５のいずれか１項に記載の衣類乾燥機。
【請求項７】
第１の一対の電極と第２の一対の電極は、一方の一対の電極を回転ドラムに対向する内周板の左方部に設け、他方の一対の電極を内周板の右方部に設けた請求項１〜５のいずれか１項に記載の衣類乾燥機。
【請求項８】
演算手段は、第１の一対の電極が回転ドラム内の衣類に接触する単位時間当たりの回数が多く、かつ、第２の一対の電極が回転ドラム内の衣類に接触する単位時間当たりの回数が多い場合、回転ドラム内の衣類が大容量であると判定するようにした請求項１〜７のいずれか１項に記載の衣類乾燥機。
【請求項９】
演算手段は、第１の一対の電極が回転ドラム内の衣類に接触する単位時間当たりの回数が多く、かつ、第２の一対の電極が回転ドラム内の衣類に接触する単位時間当たりの回数が少ない場合、回転ドラム内の衣類が中容量であると判定するようにした請求項１〜７のいずれか１項に記載の衣類乾燥機。
【請求項１０】
演算手段は、第１の一対の電極が回転ドラム内の衣類に接触する単位時間当たりの回数が少なく、かつ、第２の一対の電極が回転ドラム内の衣類に接触する単位時間当たりの回数が少ない場合、回転ドラム内の衣類が小容量であると判定するようにした請求項１〜７のいずれか１項に記載の衣類乾燥機。
【請求項１１】
演算手段は、回転ドラム内の衣類が大容量であると判定した場合、第１の抵抗検知手段および第２の抵抗検知手段に接続された複数の検知抵抗を小さい抵抗値に切り換えるようにした請求項８記載の衣類乾燥機。
【請求項１２】
演算手段は、回転ドラム内の衣類が小容量であると判定した場合、第１の抵抗検知手段および第２の抵抗検知手段に接続された複数の検知抵抗を大きい抵抗値に切り換えるようにした請求項１０記載の衣類乾燥機。
【発明の詳細な説明】
【技術分野】
【０００１】
本発明は、回転ドラム内で衣類の乾燥をおこなう衣類乾燥機に関するものである。
【背景技術】
【０００２】
従来、この種の衣類乾燥機は、衣類等の負荷量と湿り度合いに応じて運転時間を最適に設定することが考えられている（例えば、特許文献１参照）。
【０００３】
図８は、特許文献１に記載された衣類乾燥機のブロック回路図である。図８において、熱風吹出口を有する内周板に熱源となる正の温度特性を有するヒータ５１を配設し、ファンの回転によりヒータ５１を通って加熱された熱風が熱風吹出口から回転ドラム内に導入され、衣類が加熱乾燥される。回転ドラムの近傍に位置し内周板の熱風吹出口の下部および上部に温度センサ５２ａ、５２ｂを設けて温度を検出するようにしている。抵抗検知手段５３では電極５４の抵抗値を検出し、温度検知手段５５は温度センサ５２ａ、５２ｂからの温度を検出する。制御手段５６はマイクロコンピュータを含む各種電子回路から構成されている。そして、抵抗検知手段５３および温度検知手段５５からの信号を取り込んでモータ５７およびヒータ５１への通電制御を行う。
【０００４】
図９において、電極５４の抵抗値Ｒが所定時間Ｔ５連続して設定値ｂよりも大きくなった時刻ｔ６より、遅延時間Ｔ７経過した時刻ｔ８において運転を終了するように構成している。
【０００５】
また、電極検知時間比較手段５８によって得られた情報に関しては、運転前の被乾燥物が水分を多く含んでいるときは、抵抗比較手段５９により抵抗値Ｒが所定時間Ｔ５連続して設定値ｂよりも大きくなった時刻ｔ６が遅くなる。逆に、運転前の被乾燥物が水分を多く含んでいないときはｔ６が早くなる。このｔ６を電極検知時間比較手段５８によって複数の設定値と比較することにより運転前の被乾燥物の湿り具合を知ることができる。
【０００６】
演算手段６０は、以上のようにして判断した被乾燥物の容量の大小と、湿り具合に応じた遅延時間Ｔ７をあらかじめ設定された値から選択するようにしている。このため、負荷量、湿り度合いに応じて遅延時間が設定でき、最適な運転時間で自動的に運転を停止させることができるようにしたものである。
【先行技術文献】
【特許文献】
【０００７】
【特許文献１】特開平５−２５３３９７号公報
【発明の概要】
【発明が解決しようとする課題】
【０００８】
しかしながら、前記従来の衣類乾燥機は、乾燥中の電極５４の抵抗値が急激に変化するため、回転ドラム内の衣類の乾燥率を段階的に検知することが困難であるという問題があった。
【０００９】
本発明は、前記従来の課題を解決するもので、回転ドラム内の衣類の乾燥率を段階的に検知できる衣類乾燥機を提供することを目的としている。
【課題を解決するための手段】
【００１０】
前記従来の課題を解決するために、本発明の衣類乾燥機は、回転ドラム内の衣類に接触
するように内周板上に設けられた第１の一対の電極および第２の一対の電極と、前記第１の一対の電極間の抵抗値を検知し、複数の検知抵抗に接続された第１の抵抗検知手段と、前記第２の一対の電極間の抵抗値を検知し、複数の検知抵抗に接続された第２の抵抗検知手段と、前記第１の抵抗検知手段および前記第２の抵抗検知手段に接続された演算手段とを備え、前記第１の一対の電極および前記第２の一対の電極は、互いに回転ドラム内の衣類に接触する単位時間当たりの回数が異なるように設けられ、前記演算手段は、乾燥運転の開始時に前記第１の抵抗検知手段および前記第２の抵抗検知手段からの信号を比較演算することにより、衣類の容量を大容量から小容量まで段階的に検知し、衣類の容量および運転開始時の衣類の乾燥率に応じて、複数の検知抵抗を切り換えることにより、乾燥運転中の衣類の乾燥率を湿り状態から乾き状態まで段階的に検知するようにしたものである。
【００１１】
これによって、回転ドラム内の衣類等の乾燥率を段階的に検出することができ、衣類等の過乾燥や未乾燥を防止して乾燥運転を最適におこなうことができる。
【発明の効果】
【００１２】
本発明の衣類乾燥機は、乾燥運転の進行とともに回転ドラム内の衣類等の乾燥率を段階的に検出することができ、衣類等の過乾燥や未乾燥を防止して乾燥運転を最適におこなうことができる。
【図面の簡単な説明】
【００１３】
【図１】本発明の実施の形態１における衣類乾燥機の概略構成図
【図２】同衣類乾燥機の図１のＡ−Ａ矢視図
【図３】同衣類乾燥機のブロック回路図
【図４】同衣類乾燥機の電極の他の例のＡ−Ａ矢視図
【図５】同衣類乾燥機の電極の他の例のＡ−Ａ矢視図
【図６】同衣類乾燥機の電極間の抵抗値および単位時間当たりの電極検知データ数の時間変化を示す概略図
【図７】同衣類乾燥機の単位時間当たりの電極検知データ数の衣類容量による変化を示す概略図
【図８】従来の衣類乾燥機のブロック回路図
【図９】同衣類乾燥機の電極の検出抵抗値と時間変化の関係を示すグラフ
【発明を実施するための形態】
【００１４】
第１の発明は、本体内に回転自在に設けられた回転ドラムと、前記回転ドラムを駆動するモータと、前記本体の前方部に設けられた内周板と、前記回転ドラム内の衣類に接触するように前記内周板上に設けられた第１の一対の電極および第２の一対の電極と、前記第１の一対の電極間の抵抗値を検知し、複数の検知抵抗に接続された第１の抵抗検知手段と、前記第２の一対の電極間の抵抗値を検知し、複数の検知抵抗に接続された第２の抵抗検知手段と、前記第１の抵抗検知手段および前記第２の抵抗検知手段に接続された演算手段とを備え、前記第１の一対の電極および前記第２の一対の電極は、互いに回転ドラム内の衣類に接触する単位時間当たりの回数が異なるように設けられ、前記演算手段は、乾燥運転の開始時に前記第１の抵抗検知手段および前記第２の抵抗検知手段からの信号を比較演算することにより、衣類の容量を大容量から小容量まで段階的に検知し、衣類の容量および運転開始時の衣類の乾燥率に応じて、複数の検知抵抗を切り換えることにより、乾燥運転中の衣類の乾燥率を湿り状態から乾き状態まで段階的に検知するようにしたことにより、乾燥運転の進行とともに回転ドラム内の衣類等の乾燥率を段階的に検出することができ、衣類等の過乾燥や未乾燥を防止して乾燥運転を最適におこなうことができる。
【００１５】
第２の発明は、特に、第１の発明の第１の一対の電極と第２の一対の電極は、互いに異なる大きさに形成したことにより、回転ドラム内の衣類が接触する単位時間当たりの回数
を異ならせることができ、衣類の容量を大容量から小容量まで段階的に検知することができる。
【００１６】
第３の発明は、特に、第１または第２の発明の第１の一対の電極と第２の一対の電極は、いずれか一方の一対の電極に対して、他方の一対の電極の内周板の円周水平方向の長さを長くしたことにより、回転ドラム内の衣類が接触する単位時間当たりの回数を異ならせることができ、衣類の容量を大容量から小容量まで段階的に検知することができる。
【００１７】
第４の発明は、特に、第１〜第３のいずれか１つの発明の第１の一対の電極と第２の一対の電極は、いずれか一方の一対の電極に対して、他方の一対の電極の内周板の円周垂直方向の長さを長くしたことにより、回転ドラム内の衣類が接触する単位時間当たりの回数を異ならせることができ、衣類の容量を大容量から小容量まで段階的に検知することができる。
【００１８】
第５の発明は、特に、第１〜第４のいずれか１つの発明の第１の一対の電極と第２の一対の電極は、互いに回転ドラムに対向する異なる位置に形成したことにより、回転ドラム内の衣類が接触する単位時間当たりの回数を異ならせることができ、衣類の容量を大容量から小容量まで段階的に検知することができる。
【００１９】
第６の発明は、特に、第１〜第５のいずれか１つの発明の第１の一対の電極と第２の一対の電極は、一方の一対の電極を回転ドラムに対向する内周板の下方部に設け、他方の一対の電極を内周板の上方部に設けたことにより、回転ドラム内の衣類が接触する単位時間当たりの回数を異ならせることができ、衣類の容量を大容量から小容量まで段階的に検知することができる。
【００２０】
第７の発明は、特に、第１〜第５のいずれか１つの発明の第１の一対の電極と第２の一対の電極は、一方の一対の電極を回転ドラムに対向する内周板の左方部に設け、他方の一対の電極を内周板の右方部に設けたことにより、回転ドラム内の衣類が接触する単位時間当たりの回数を異ならせることができ、衣類の容量を大容量から小容量まで段階的に検知することができる。
【００２１】
第８の発明は、特に、第１〜第７のいずれか１つの発明の演算手段は、第１の一対の電極が回転ドラム内の衣類に接触する単位時間当たりの回数が多く、かつ、第２の一対の電極が回転ドラム内の衣類に接触する単位時間当たりの回数が多い場合、回転ドラム内の衣類が大容量であると判定するようにしたことにより、判定した衣類の量に最適な乾燥運転をおこなうことができる。
【００２２】
第９の発明は、特に、第１〜第７のいずれか１つの発明の演算手段は、第１の一対の電極が回転ドラム内の衣類に接触する単位時間当たりの回数が多く、かつ、第２の一対の電極が回転ドラム内の衣類に接触する単位時間当たりの回数が少ない場合、回転ドラム内の衣類が中容量であると判定するようにしたことにより、判定した衣類の量に最適な乾燥運転をおこなうことができる。
【００２３】
第１０の発明は、特に、第１〜第７のいずれか１つの発明の演算手段は、第１の一対の電極が回転ドラム内の衣類に接触する単位時間当たりの回数が少なく、かつ、第２の一対の電極が回転ドラム内の衣類に接触する単位時間当たりの回数が少ない場合、回転ドラム内の衣類が小容量であると判定するようにしたことにより、判定した衣類の量に最適な乾燥運転をおこなうことができる。
【００２４】
第１１の発明は、特に、第８の発明の演算手段は、回転ドラム内の衣類が大容量である
と判定した場合、第１の抵抗検知手段および第２の抵抗検知手段に接続された複数の検知抵抗を小さい抵抗値に切り換えるようにしたことにより、複数個の一対の電極が検知する一対の電極間の抵抗値の下限値が大きくなり、大容量の衣類に対して、複数個の一対の電極の検知過多を低減することが可能となり、大容量の衣類の乾燥率を段階的に検知することができる。
【００２５】
第１２の発明は、特に、第１０の発明の演算手段は、回転ドラム内の衣類が小容量であると判定した場合、第１の抵抗検知手段および第２の抵抗検知手段に接続された複数の検知抵抗を大きい抵抗値に切り換えるようにしたことにより、複数個の一対の電極が検知する一対の電極間の抵抗値の下限値が小さくなり、小容量の衣類に対して、複数個の一対の電極の検知過少を低減することが可能となり、小容量の衣類の乾燥率を段階的に検知することができる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態における衣類乾燥機の概略構成図、図２は、図１のＡ−Ａ矢視図、図３は、同衣類乾燥機のブロック回路図を示すものである。
【００２８】
図１〜図３において、衣類乾燥機の本体１内に回転ドラム２が回転可能に設けられ、後面に取り付けたモータ３によって回転駆動される。モータ３はブラシレス直流モータで構成され、インバータ制御によって回転速度が自在に変化させることができるようになっている。回転ドラム２は、略有底円筒状に形成され、その回転軸２ａは本体１に対して水平方向に設定されている。
【００２９】
回転ドラム２の前面側に衣類等の乾燥対象を出し入れする開口部４が設けてあり、開閉自在な扉５によって開閉することができる。回転ドラム２の内周側面には、衣類等を撹拌するバッフル６が複数突設してあり、回転ドラム２の回転によって衣類等がバッフル６で持ち上げられ、回転ドラム２内で撹拌される。
【００３０】
本体１内の前部には、回転ドラム２の前面側に設けた円形の開口部４と対向するように内周板７が環状に配設され、開口部４の縁部に沿ってドーナツ状に形成されている。内周板７の回転ドラム２側の表面には、第１の一対の電極８と第２の一対の電極９が形成され、回転ドラム２内で撹拌される衣類と接触するように設けられている。
【００３１】
第１の一対の電極８と第２の一対の電極９は、互いに衣類と接触する面積を異なる大きさに形成してあり、内周板７の円周水平方向の長さ、すなわち、回転ドラム２の回転方向の長さＬ１を第１の一対の電極８は長く、第２の一対の電極９の長さＬ２は、第１の一対の電極８の長さＬ１より短くしている。
【００３２】
第１の一対の電極８と第２の一対の電極９は、所定の間隔を有して内周板７の下部に設けてあり、第１の一対の電極８間の抵抗値は、複数の検知抵抗に接続された第１の抵抗検知手段１０によって検知し、第２の一対の電極９間の抵抗値は、複数の検知抵抗に接続された第２の抵抗検知手段１１によって検知する。各々の電極８、９の形状は、回転軸２ａを中心とする開口部４の縁部に沿って円弧状に形成してもよい。
【００３３】
回転ドラム２内の湿った衣類が第１の一対の電極８と第２の一対の電極９に接触すると電気的に導通し、各々の電極８、９間の抵抗値を検知信号として第１の抵抗検知手段１０と第２の抵抗検知手段１１にそれぞれ入力される。乾いた衣類が各々の電極８、９に接触
した場合は電気的に導通しないため、検知信号が第１の抵抗検知手段１０および第２の抵抗検知手段１１にそれぞれ入力されない。
【００３４】
演算手段１２には、第１の抵抗検知手段１０および第２の抵抗検知手段１１からの検知信号が入力され、演算処理した信号を温風温度制御手段１３、循環風量制御手段１４およびドラム回転数制御手段１５に入力する。
【００３５】
温風温度制御手段１３は、ヒータ等の加熱手段（図示せず）によって加熱される乾燥用空気の温度を制御する。また、循環風量制御手段１４は、送風ファン等の送風手段（図示せず）によって回転ドラム２内に送風される乾燥用空気の送風量を制御する。さらに、ドラム回転数制御手段１５は、モータ３により駆動する回転ドラム２の回転数を制御する。
【００３６】
制御手段１６は、本体１内の上方前部に配設されており、第１の抵抗検知手段１０、第２の抵抗検知手段１１、演算手段１２、温風温度制御手段１３、循環風量制御手段１４およびドラム回転数制御手段１５が内包されている。制御手段１６は、複数の検知抵抗に接続されたトランジスタをオン／オフすることにより、第１の一対の電極８と第２の一対の電極９間の抵抗値を検知するための複数の検知抵抗を切り換える。
【００３７】
以上のように構成された衣類乾燥機について、以下その動作、作用を説明する。乾燥運転の開始により、回転ドラム２がモータ３よって所定の回転数で回転し、回転ドラム２内に所定温度の乾燥用空気が送風される。回転ドラム２内に投入された衣類は、回転ドラム２の回転動作によりバッフル６によって上方へ持ち上げられて撹拌され、乾燥用空気との接触により水分が除去されて乾燥が進行する。
【００３８】
回転ドラム２内の衣類が第１の一対の電極８および第２の一対の電極９に接触すると、それぞれの電極８、９間の抵抗値は検知抵抗値と比較される。電極８、９間の抵抗値が検知抵抗値より小さい場合、つまり、回転ドラム２内の衣類が「湿り状態」であると検知した場合は、低電位信号が第１の抵抗検知手段１０および第２の抵抗検知手段１１に入力される。
【００３９】
電極８、９間の抵抗値が検知抵抗値より大きい場合、つまり、回転ドラム２内の衣類が「乾き状態」であると検知した場合は、高電位信号が第１の抵抗検知手段１０および第２の抵抗検知手段１１に入力される。
【００４０】
演算手段１２は、第１の抵抗検知手段１０および第２の抵抗検知手段１１からの入力される単位時間当たりの高電位信号（回転ドラム２内の衣類が「乾き状態」）のデータ数を演算処理することにより、回転ドラム２内の衣類の容量および乾燥率を検知する。
【００４１】
演算手段１２は、第１の抵抗検知手段１０および第２の抵抗検知手段１１から入力される単位時間当たりの電極検知データ数に基づき、回転ドラム２内の衣類の容量および乾燥率に応じて、温風温度制御手段１３、循環風量制御手段１４およびドラム回転数制御手段１５に制御信号を入力する。
【００４２】
制御手段１６は、回転ドラム２内の衣類の容量および乾燥率に応じて、第１の一対の電極８および第２の一対の電極９の電極間の抵抗値を検知するための複数の検知抵抗を切り換えることにより、回転ドラム２内の衣類の容量および乾燥率を複数の段階（乾燥率）において検知する。
【００４３】
第１の一対の電極８と第２の一対の電極９は、互いに衣類と接触する面積を異なる大きさに形成してあり、内周板７の円周水平方向の長さＬ１、すなわち、回転ドラム２の回転
方向の長さＬ１を第１の一対の電極８は長く、第２の一対の電極９の長さＬ２は、第１の一対の電極８の長さＬ１より短くしている。これにより、回転ドラム２内の衣類がそれぞれの一対の電極間に接触する単位時間当たりの回数が異なるので、衣類の容量および乾燥率を段階的に検知することが可能である。
【００４４】
図４は、第１の一対の電極８と第２の一対の電極９の他の例を示したもので、内周板７の円周垂直方向の長さＬ３、すなわち、回転ドラム２の半径方向の長さＬ３を第１の一対の電極８は長く、第２の一対の電極９の長さＬ４は、第１の一対の電極８の長さＬ３より短くしている。これにより、回転ドラム２内の衣類がそれぞれの一対の電極間に接触する単位時間当たりの回数が異なるので、衣類の容量および乾燥率を段階的に検知することが可能である。
【００４５】
図５は、さらに、第１の一対の電極８と第２の一対の電極９の他の例を示したもので、第１の一対の電極８と第２の一対の電極９は、互いに回転ドラム２に対向する異なる位置に形成したものである。
【００４６】
第１の一対の電極８は内周板７の下方部、すなわち、回転ドラム２の回転軸２ａを通る水平線の下方に設け、第２の一対の電極９は、内周板７の上方部、すなわち、回転ドラム２の回転軸２ａを通る水平線の上方に設けたものである。
【００４７】
また、第１の一対の電極８は内周板の内周板の左方部、すなわち、回転ドラム２の回転軸２ａを通る垂直線の左方に設け、第２の一対の電極９は内周板７の右方部、すなわち、回転ドラム２の回転軸２ａを通る垂直線の右方に設けたものである。
【００４８】
これにより、回転ドラム２内の衣類が接触する単位時間当たりの回数を異ならせることができ、衣類の容量を大容量から小容量まで段階的に検知することができ、また、衣類の乾燥率を段階的に検知することが可能である。
【００４９】
図６は、乾燥運転時間ｔに対する一対の電極間の抵抗値Ｒ１７および単位時間当たりの電極検知データ数Ｗｎを示しており、電極検知データ数Ｗｎが上限値Ｗｍａｘとなると、回転ドラム２内の衣類が「乾き状態」であることが検知できる。
【００５０】
回転ドラム２内の衣類の容量および乾燥率に応じて、第１の一対の電極８および第２の一対の電極９の電極間の抵抗値を検知するための複数の検知抵抗を切り換えることにより、例えば、時間ｔ１においては衣類の乾燥率８５％程度を検知する電極検知データ数Ｗａ１８は上限値Ｗｍａｘとなり、時間ｔ２においては、衣類の乾燥率９０％程度を検知する電極検知データ数Ｗｂ１９は上限値Ｗｍａｘとなり、時間ｔ３においては、衣類の乾燥率９５％程度を検知する電極検知データ数Ｗｃ２０は上限値Ｗｍａｘとなるので、回転ドラム２内の衣類の乾燥率を複数の段階（乾燥率）に検知することができる。
【００５１】
図７は、回転ドラム２内の衣類容量Ｘｎに対する単位時間当たりの電極検知データ数Ｗｎを示している。例えば、回転ドラム２内の衣類容量が小容量の場合、第１の一対の電極８が単位時間当たりに検知する電極検知データ数Ｗｄ２１は少なく、かつ、第２の一対の電極９が単位時間当たりに検知する電極検知データ数Ｗｅ２２は少ない、つまり、衣類容量Ｘ１は小容量であると判定できる。
【００５２】
また、例えば、回転ドラム２内の衣類容量が中容量の場合、第１の一対の電極８が単位時間当たりに検知する電極検知データ数Ｗｄ２１は多く、かつ、第２の一対の電極９が単位時間当たりに検知する電極検知データ数Ｗｅ２２は少ない、つまり、衣類容量Ｘ２は中容量であると判定できる。
【００５３】
また、回転ドラム２内の衣類容量が大容量の場合、第１の一対の電極８が単位時間当たりに検知する電極検知データ数Ｗｄ２１は多く、かつ、第２の一対の電極９が単位時間当たりに検知する電極検知データ数Ｗｅ２２は多い、つまり、衣類容量Ｘ３は大容量であると判定できる。
【００５４】
すなわち、第１の一対の電極８および第２の一対の電極９に対して、回転ドラム２内の衣類が複数個の一対の電極に接触する単位時間当たりの回数が衣類容量により異なるため、投入された衣類の容量を複数の段階（乾燥率）において検知することができる。
【００５５】
以上のように、本発明の衣類乾燥機は、第１の一対の電極８と第２の一対の電極９を、回転ドラム２内の衣類に接触する単位時間当たりの回数が異なるように設け、演算手段は、乾燥運転の開始時に第１の抵抗検知手段１０および第２の抵抗検知手段１１からの信号を比較演算することにより、衣類の容量を大容量から小容量まで段階的に検知し、衣類の容量および運転開始時の衣類の乾燥率に応じて、複数の検知抵抗を切り換えることにより、乾燥運転中の衣類の乾燥率を湿り状態から乾き状態まで段階的に検知することができるものであり、回転ドラム２内の衣類等の乾燥率を段階的に検出することができ、衣類等の過乾燥や未乾燥を防止して乾燥運転を最適におこなうことができる。
【産業上の利用可能性】
【００５６】
以上のように、本発明にかかる衣類乾燥機は、乾燥運転の進行とともに回転ドラム内の衣類等の乾燥率を段階的に検出することができ、衣類等の過乾燥や未乾燥を防止して乾燥運転を最適におこなうことができるので、衣類乾燥機として有用である。
【符号の説明】
【００５７】
１  本体
２  回転ドラム
３  モータ
７  内周板
８  第１の一対の電極
９  第２の一対の電極
１０  第１の抵抗検知手段
１１  第２の抵抗検知手段
１２  演算手段
１６  制御手段
【図１】
2012055398.tif 000003
【図２】
2012055398.tif 000004
【図３】
2012055398.tif 000005
【図４】
2012055398.tif 000006
【図５】
2012055398.tif 000007
【図６】
2012055398.tif 000008
【図７】
2012055398.tif 000009
【図８】
2012055398.tif 000010
【図９】
2012055398.tif 000011